(57)【要約】【課題】マルチプロジェクションにおいて、複数のプロジェクタに光量調整に関するばらつきがあっても投射画像間の輝度差を減少させる。【解決手段】画像投射装置２７は、第１の光源Ａ３からの光を変調して生成した第１の画像光ＬＡを投射する。該装置は、第１の画像光の光量を調整する第１の光量調整手段Ａ７と、第２の光源Ｂ３からの光を変調して生成した第２の画像光ＬＢを投射し、第２の画像光の光量を調整する第２の光量調整手段Ｂ７を備えた他の画像投射装置２８と通信を行う。制御手段Ａ４〜Ａ６は、第１の光量調整手段の調整値と第１の画像光の光量との関係を示す第１のデータと、他の画像投射装置から受信した第２の光量調整手段の調整値と第２の光量との関係を示す第２のデータとを比較し、該比較の結果に応じて第１のデータを補正し、補正された第１のデータを用いて第１の光量調整手段を制御する。【選択図】図１
2020188396.tif 000002
【特許請求の範囲】
【請求項１】
第１の光源からの光を変調して生成した第１の画像光を投射する画像投射装置であって、
前記第１の画像光の光量を調整する第１の光量調整手段と、
第２の光源からの光を変調して生成した第２の画像光を投射し、前記第２の画像光の光量を調整する第２の光量調整手段を備えた他の画像投射装置と通信を行う通信手段と、
前記第１の光量調整手段を制御する制御手段とを有し、
前記制御手段は、
前記第１の光量調整手段の調整値と前記第１の画像光の光量との関係を示す第１のデータと、前記通信手段を通じて前記他の画像投射装置から受信した前記第２の光量調整手段の調整値と前記第２の光量との関係を示す第２のデータとを比較し、
該比較の結果に応じて前記第１のデータを補正し、補正された前記第１のデータを用いて前記第１の光量調整手段を制御することを特徴とする画像投射装置。
【請求項２】
前記制御手段は、
前記比較の結果に応じて前記第１のデータを補正しなかった場合は、補正されていない前記第１のデータを用いて前記第１の光量調整手段を制御することを特徴とする請求項１に記載の画像投射装置。
【請求項３】
前記制御手段は、前記比較の結果に応じて前記第２のデータを補正し、補正された前記第２のデータを前記通信手段を通じて前記他の画像投射装置に送信することを特徴とする請求項１または２に記載の画像投射装置。
【請求項４】
前記第１の画像光の光量を測定する測定手段を有し、
前記制御手段は、前記測定手段による測定結果を用いて前記第１のデータを生成することを特徴とする請求項１から３のいずれか一項に記載の画像投射装置。
【請求項５】
請求項１から４のいずれか一項に記載の画像投射装置と前記他の画像投射装置とを含むことを特徴とする画像投射システム。
【請求項６】
第１の光源からの光を変調して生成した第１の画像光を投射し、前記第１の画像光の光量を調整する第１の光量調整手段を備えた画像投射装置の制御方法であって、
前記第１の光量調整手段の調整値と前記第１の画像光の光量との関係を示す第１のデータを取得するステップと、
第２の光源からの光を変調して生成した第２の画像光を投射し、前記第２の画像光の光量を調整する第２の光量調整手段を備えた他の画像投射装置から、前記第２の光量調整手段の調整値と前記第２の光量との関係を示す第２のデータを取得するステップと、
前記第１のデータと前記第２のデータとを比較し、該比較の結果に応じて前記第１のデータを補正し、補正された前記第１のデータを用いて前記第１の光量調整手段を制御するステップとを有することを特徴とする投射制御方法。
【請求項７】
第１の光源からの光を変調して生成した第１の画像光を投射し、前記第１の画像光の光量を調整する第１の光量調整手段を備えた画像投射装置のコンピュータに、請求項６に記載の投射制御方法に従う処理を実行させることを特徴とするコンピュータプログラム。
【請求項８】
第１の光源からの光を変調して生成した第１の画像光を投射し、前記第１の画像光の光量を調整する第１の光量調整手段を備えた画像投射装置と、第２の光源からの光を変調して生成した第２の画像光を投射し、前記第２の画像光の光量を調整する第２の光量調整手段を備えた他の画像投射装置とを制御する投射制御装置であって、
前記第１および第２の画像投射装置と通信を行う通信手段と、
前記通信手段を通じてそれぞれ取得した、前記第１の光量調整手段の調整値と前記第１の画像光の光量との関係を示す第１のデータと、前記第２の光量調整手段の調整値と前記第２の光量との関係を示す第２のデータとを比較し、該比較の結果に応じて前記第１および第２のデータのうち少なくとも一方のデータを補正し、補正したデータを前記画像投射装置および前記他の画像投射装置のうち対応する画像投射装置に送信する制御手段とを有することを特徴とする投射制御装置。
【請求項９】
前記制御手段は、
前記比較の結果に応じて前記少なくとも一方のデータを補正しなかった場合は、前記画像投射装置および前記他の画像投射装置のうち対応する画像投射装置に、補正しなかったデータを用いて前記第１および第２の光量調整手段のうち対応する光量調整手段を制御させることを特徴とする請求項８に記載の画像投射装置。
【請求項１０】
前記画像投射装置は、前記第１の画像光の光量を測定する第１の測定手段を有しており、
前記制御手段は、前記画像投射装置に、前記第１の測定手段による測定結果を用いて前記第１のデータを生成させることを特徴とする請求項８または９に記載の画像投射装置。
【請求項１１】
前記他の画像投射装置は、前記第２の画像光の光量を測定する第２の測定手段を有しており、
前記制御手段は、前記他の画像投射装置に、前記第２の測定手段による測定結果を用いて前記第２のデータを生成させることを特徴とする請求項８から１０のいずれか一項に記載の画像投射装置。
【請求項１２】
請求項８から１１のうちいずれか一項に記載の投射制御装置と、
前記画像投射装置および前記他の画像投射装置とを含むことを特徴とする画像投射システム。
【請求項１３】
第１の光源からの光を変調して生成した第１の画像光を投射し、前記第１の画像光の光量を調整する第１の光量調整手段を備えた画像投射装置と、第２の光源からの光を変調して生成した第２の画像光を投射し、前記第２の画像光の光量を調整する第２の光量調整手段を備えた他の画像投射装置とを制御する制御方法であって、
前記第１の光量調整手段の調整値と前記第１の画像光の光量との関係を示す第１のデータを取得するステップと、
前記第２の光量調整手段の調整値と前記第２の光量との関係を示す第２のデータを取得するステップと、
前記第１のデータと前記第２のデータとを比較し、該比較の結果に応じて前記第１および第２のデータのうち少なくとも一方のデータを補正し、補正したデータを前記画像投射装置および前記他の画像投射装置のうち対応する画像投射装置に送信するステップとを有することを特徴とする投射制御方法。
【請求項１４】
第１の光源からの光を変調して生成した第１の画像光を投射し、前記第１の画像光の光量を調整する第１の光量調整手段を備えた画像投射装置と、第２の光源からの光を変調して生成した第２の画像光を投射し、前記第２の画像光の光量を調整する第２の光量調整手段を備えた他の画像投射装置とを制御するコンピュータに、請求項１１に記載の投射制御方法に従う処理を実行させることを特徴とするコンピュータプログラム。
【発明の詳細な説明】
【技術分野】
【０００１】
本発明は、マルチプロジェクションに用いられる画像投射装置（以下、プロジェクタという）に関する。
【背景技術】
【０００２】
複数のプロジェクタからの投射画像を繋いで大画面画像を投射するマルチプロジェクションを行う際には、投射画像間の輝度の連続性が求められる。具体的には、各プロジェクタに設けられたシャッタ（絞り）を制御して複数の投射画像の輝度を互いに一致させる。
【０００３】
特許文献１には、複数のプロジェクタがそれぞれに対して設定されたパラメータに応じて絞りと映像信号を調整することにより、該複数のプロジェクタからの投射画像の輝度を互いに一致させる。具体的には、まず各プロジェクタの絞りを全開にして各プロジェクタに全白の映像信号を入力し、各投射画面の輝度を測定する。続いて各プロジェクタからの投射画像の輝度測定値からそのプロジェクタに対応する絞りの駆動量、輝度傾斜調整値および輝度オフセット調整値といったパラメータを求め、求めたパラメータに応じて絞りを駆動したり映像信号を調整したりする。
【先行技術文献】
【特許文献】
【０００４】
【特許文献１】特開２００５−１５９８１２号公報
【発明の概要】
【発明が解決しようとする課題】
【０００５】
しかしながら、特許文献１のように各プロジェクタの絞りを全開にした状態で投射画像の輝度測定を行うと、複数のプロジェクタのそれぞれの絞り自体や絞り制御のばらつきによって、絞りを駆動した際のそれぞれのプロジェクタからの投射画像の輝度が一致しないおそれがある。
【０００６】
本発明は、マルチプロジェクションにおいて、複数のプロジェクタに絞り（光量調整）に関するばらつきがあっても投射画像間の輝度差を減少させることができるようにした投射制御装置およびプロジェクタを提供する。
【課題を解決するための手段】
【０００７】
本発明の一側面としての画像投射装置は、第１の光源からの光を変調して生成した第１の画像光を投射する。該画像投射装置は、第１の画像光の光量を調整する第１の光量調整手段と、第２の光源からの光を変調して生成した第２の画像光を投射し、第２の画像光の光量を調整する第２の光量調整手段を備えた他の画像投射装置と通信を行う通信手段と、第１の光量調整手段を制御する制御手段とを有する。制御手段は、第１の光量調整手段の調整値と第１の画像光の光量との関係を示す第１のデータと、通信手段を通じて他の画像投射装置から受信した第２の光量調整手段の調整値と第２の光量との関係を示す第２のデータとを比較し、該比較の結果に応じて第１のデータを補正し、補正された第１のデータを用いて第１の光量調整手段を制御することを特徴とする。
【０００８】
なお、上記画像投射装置と他の画像投射装置とを含む画像投射システムも、本発明の他の一側面を構成する。
【０００９】
また、本発明の他の一側面としての投射制御方法は、第１の光源からの光を変調して生成した第１の画像光を投射し、前記第１の画像光の光量を調整する第１の光量調整手段を備えた画像投射装置に適用される。該投射制御方法は、第１の光量調整手段の調整値と第１の画像光の光量との関係を示す第１のデータを取得するステップと、第２の光源からの光を変調して生成した第２の画像光を投射し、第２の画像光の光量を調整する第２の光量調整手段を備えた他の画像投射装置から、第２の光量調整手段の調整値と第２の光量との関係を示す第２のデータを取得するステップと、第１のデータと第２のデータとを比較し、該比較の結果に応じて第１のデータを補正し、補正された第１のデータを用いて第１の光量調整手段を制御するステップとを有することを特徴とする。
【００１０】
なお、画像投射装置のコンピュータに上記投射制御方法に従う処理を実行させるコンピュータプログラムも、本発明の他の一側面を構成する。
【００１１】
また、本発明の他の一側面としての投射制御装置は、第１の光源からの光を変調して生成した第１の画像光を投射し、第１の画像光の光量を調整する第１の光量調整手段を備えた画像投射装置と、第２の光源からの光を変調して生成した第２の画像光を投射し、第２の画像光の光量を調整する第２の光量調整手段を備えた他の画像投射装置とを制御する。該投射制御装置は、第１および第２の画像投射装置と通信を行う通信手段と、通信手段を通じてそれぞれ取得した、第１の光量調整手段の調整値と第１の画像光の光量との関係を示す第１のデータと、第２の光量調整手段の調整値と第２の光量との関係を示す第２のデータとを比較し、該比較の結果に応じて前記第１および第２のデータのうち少なくとも一方のデータを補正し、補正したデータを画像投射装置および他の画像投射装置のうち対応する画像投射装置に送信する制御手段とを有することを特徴とする。
【００１２】
なお、上記投射制御装置、画像投射装置および他の画像投射装置を含む画像投射システムも、本発明の他の一側面を構成する。
【００１３】
また、本発明の他の一側面としての投射制御方法は、第１の光源からの光を変調して生成した第１の画像光を投射し、第１の画像光の光量を調整する第１の光量調整手段を備えた画像投射装置と、第２の光源からの光を変調して生成した第２の画像光を投射し、第２の画像光の光量を調整する第２の光量調整手段を備えた他の画像投射装置とを制御する。該投射制御方法は、第１の光量調整手段の調整値と第１の画像光の光量との関係を示す第１のデータを取得するステップと、第２の光量調整手段の調整値と第２の光量との関係を示す第２のデータを取得するステップと、第１のデータと第２のデータとを比較し、該比較の結果に応じて第１および第２のデータのうち少なくとも一方のデータを補正し、補正したデータを画像投射装置および他の画像投射装置のうち対応する画像投射装置に送信するステップとを有することを特徴とする。
【００１４】
なお、コンピュータに上記投射制御方法に従う処理を実行させるコンピュータプログラムも、本発明の他の一側面を構成する。
【発明の効果】
【００１５】
本発明によれば、マルチプロジェクションにおいて複数の画像投射装置に光量調整に関するばらつきがあっても投射画像間の輝度差を減少させることができる。
【図面の簡単な説明】
【００１６】
【図１】実施例１のプロジェクタの構成を示すブロック図。
【図２】実施例１のプロジェクタにおけるマルチプロジェクション処理を示すフローチャート。
【図３】実施例２のプロジェクタの構成を示すブロック図。
【図４】実施例２のプロジェクタにおけるマルチプロジェクション処理を示すフローチャート。
【図５】実施例３のプロジェクタの構成を示すブロック図。
【図６】実施例３のプロジェクタにおけるマルチプロジェクション処理を示すフローチャート。
【図７】実施例４のプロジェクタの構成を示すブロック図。
【図８】実施例４のプロジェクタにおけるマルチプロジェクション処理を示すフローチャート。
【図９】実施例１のプロジェクタにおけるデータ調整を示す図。
【発明を実施するための形態】
【００１７】
以下、本発明の実施例について図面を参照しながら説明する。
【実施例１】
【００１８】
図１は、本発明の実施例１であるプロジェクタ（画像投射装置）２７および他のプロジェクタ２８の構成を示す。これらプロジェクタ２７，２８は、それぞれからの投射画像を繋いで大画面画像を表示するマルチプロジェクションを行う画像投射システムを構成する。プロジェクタ２７において、画像信号入力部Ａ９は、パーソナルコンピュータ（ＰＣ）やＤＶＤプレーヤ等の映像再生機器から出力された画像信号Ａを受信する。画像信号処理部Ａ１０は、画像信号入力部Ａ９を通じて入力された画像信号Ａに対して画像信号処理を行う。
【００１９】
パネル駆動部Ａ１１は、画像信号処理部Ａ１０にて画像信号処理が行われた画像信号を受け取り、光変調パネル（以下、単にパネルという）Ａ１２を駆動するための信号に変換する。これにより、入力画像信号Ａに応じた原画がパネルＡ１２に形成される。パネルＡ１２は、第１の光源としての光源Ａ３から第１の光量調整手段としてのシャッタ（絞り）Ａ７を通して照射された照明光を原画に応じて変調して画像光（第１の画像光）ＬＡを生成する。画像光ＬＡは、投射光学系Ａ１３によって被投射面２９に拡大投射される。
【００２０】
シャッタＡ７の開口の大きさを示す絞り量（調整値）は、画像信号処理部Ａ１０による処理結果を受けた制御部Ａ６によって指示される。例えば、画像信号の輝度レベルの範囲が０〜１００ある場合において、該輝度レベルが１００であるときは制御部Ａ６はシャッタＡ７を１００％開ける（全開にする）指示を出力し、輝度レベルが０であるときはシャッタＡ７を全閉にする指示を出力する。
【００２１】
ここで、「画像信号の輝度」おける「画像信号」は、図１に示す元画像信号ＣからプロジェクタＡ２７用に分配器５０により分配された画像信号Ａであってもよいし、元画像信号Ｃであってもよい。
【００２２】
記憶部（記憶手段）Ａ２は、シャッタＡ７の絞り量と画像光ＬＡの光量との関係を示すデータ（第１のデータ：以下、絞り量／画像光量データＡという）を予め記憶している。この絞り量／画像光量データＡは、プロジェクタ２７の工場出荷時等に取得されて記憶部Ａ２に保存される。
【００２３】
通信部（通信手段）Ａ１は、他のプロジェクタ２８の通信部Ｂ１と間で、記憶部Ａ２に保存された絞り量／画像光量データＡ、他のプロジェクタ２８の記憶部Ｂ２に保存された絞り量／画像光量データＢ、後述する調整部Ａ５で調整された絞り量／画像光量データＡおよび他のプロジェクタ２８の調整部Ｂ５で調整された絞り量／画像光量データＢを送受信する。
【００２４】
調整判定部Ａ４は、記憶部Ａ２に保存された絞り量／画像光量データＡと通信部Ａ１において受信した他のプロジェクタ２８の絞り量／画像光量データＢとを比較し、該比較の結果に応じて絞り量／画像光量データＡを調整するか否かを判定する。具体的には、調整判定部Ａ４は、データＡとデータＢに差がある場合はデータＡ，Ｂを調整すると判定し、差がない場合はデータＡ，Ｂを調整しないと判定する。データＡ，Ｂの調整は、例えば、データＡとデータＢのうちそれぞれの最大の画像光の光量を確認し、その最大の画像光の光量のうち低い方の最大の画像光の光量にするための絞り量を算出する。
【００２５】
調整部Ａ５は、調整判定部Ａ４において絞り量／画像光量データＡを調整するとの判定がなされた場合に、絞り量／画像光量データＡを調整（補正）する。例えば、プロジェクタ２７における画像光ＬＡの光量の最大値が１００であり、他のプロジェクタ２８における画像光（第２の画像光）ＬＢの光量の最大値が９０である場合には、調整部Ａ５は、図１１に示すようにプロジェクタ２７の画像光ＬＡの光量の最大値が９０となるように絞り量／画像光量データＡを調整する。これにより、制御部Ａ６は、画像信号の輝度レベル０〜１００に応じて画像光ＬＡの光量が０〜９０の範囲で変化するようにシャッタＡ７の駆動を制御する。設定された画像光ＬＡの光量の最大値が９０以外の場合も、同様にして絞り量／画像光量データＡを調整し、シャッタＡ７の駆動を制御する。調整判定部Ａ４、調整部Ａ５および制御部Ａ６は、制御手段を構成する。
【００２６】
なお、他のプロジェクタ２８の構成および動作は、上述したプロジェクタ２７の構成および動作と同じであり、図１には他のプロジェクタ２８の構成要素に対してプロジェクタ２７の構成要素に付したＡに代えてＢを付している。プロジェクタ２８は、第２の光源としての光源Ｂ３と、第２の光量調整手段としてのシャッタＢ７と、シャッタＢ７の絞り量と第２の画像光として投射される画像光ＬＢの光量との関係を示すデータ（第２のデータ：以下、絞り量／画像光量データＢ）とを含む。
【００２７】
図２は、本実施例においてプロジェクタ２７，２８によるマルチプロジェクションを行う際にこれらのプロジェクタ２７，２８（図にはそれぞれプロジェクタＡ，Ｂと記す）が実行する処理（投射制御方法）を示している。プロジェクタ２７，２８におけるコンピュータとしての制御部Ａ６，Ｂ６は、コンピュータプログラムに従って本処理を実行する。なお、以下の説明では、制御部Ａ６，Ｂ６をプロジェクタＡ，Ｂと言い換える。また、絞り量／画像光量データＡ，Ｂを単にデータＡ，Ｂという。
【００２８】
まずステップＳ１において、プロジェクタＢは、記憶部Ｂ２に保存されたデータＢを通信部Ｂ１４から介してプロジェクタＡ２７に送信する。ステップＳ２では、プロジェクタＡは、通信部Ａ１にてデータＢを受信する。
【００２９】
次にステップＳ３において、プロジェクタＡは、調整判定部Ａ４にデータＡとデータＢとを比較させ、その比較結果に応じてこれらデータＡ，Ｂを調整するか否かを判定させる。調整判定部Ａ４でデータＡ，Ｂを調整しないと判定された場合は、プロジェクタＡは、ステップＳ９においてデータＡをそのままデータＡ′とし、データＢをそのままデータＢ′としてステップＳ５に進む。一方、調整判定部Ａ４でデータＡ，Ｂを調整すると判定された場合は、ステップＳ４において、プロジェクタＡは調整部Ａ５に、記憶部Ａ２に保存されたデータＡと通信部Ａ１を通してプロジェクタＢから受信したデータＢをそれぞれ、データＡ’とデータＢ’に調整させる。
【００３０】
次にステップＳ５では、プロジェクタＡは調整されたデータＢ’を通信部Ａ１からプロジェクタＢに送信する。ステップＳ６では、プロジェクタＢは通信部Ｂ１４を通してデータＢ’を受信する。
【００３１】
続いてステップＳ７では、プロジェクタＢは、調整されたデータＢ’を用いてシャッタＢ７の駆動を制御して画像投射を行う。そしてステップＳ８では、プロジェクタＡは、調整されたデータＡ’を用いてシャッタＡ７の駆動を制御して画像投射を行う。
【００３２】
このように、シャッタＡ７，Ｂ７の絞り量がそれぞれ、調整されたデータＡ’，Ｂ’を用いて制御されることにより、シャッタＡ７，Ｂ７自体やこれらの制御にばらつきがあっても、プロジェクタ２７，２８からの投射画像（画像光ＬＡ，ＬＢ）間の輝度差を減少させることができる。このことは、後述する他の実施例でも同じである。
【実施例２】
【００３３】
図３は、本発明の実施例２における画像投射システムを示す。本実施例では、実施例１で説明した構成を有するプロジェクタ２７，２８に対して、ＰＣにより構成される投射制御装置としてのマスター装置４０が接続されている。これらマスター装置４０とプロジェクタ２７，２８は、プロジェクタ２７，２８からの投射画像を繋いで大画面画像を表示するマルチプロジェクションを行う画像投射システムを構成する。
【００３４】
マスター装置４０は、プロジェクタ２７，２８と通信を行う通信部（通信手段）４１と、プロジェクタ２７，２８を制御する制御部（制御手段）４２とを有する。マスター装置４０の制御部４２は、プロジェクタ２７，２８の記憶部Ａ２，Ｂ２に保存されたデータを通信部Ａ１，Ｂ１を介して受信し、それらのデータを比較し、プロジェクタ毎の適正なデータに調整し直す。
【００３５】
図４は、本実施例においてプロジェクタ２７，２８によるマルチプロジェクションを行う際にマスター装置４０の制御部４２（以下、マスターＭという）とプロジェクタＡ，Ｂ（制御部Ａ６，Ｂ６）が行う処理（投射制御方法）を示している。
【００３６】
まずステップＳ１１において、マスターＭは、プロジェクタＡに、記憶部Ａ２に保存されたデータＡを通信部Ａ１を通じてマスターＭに送信させる。またステップＳ１２において、マスターＭは、プロジェクタＢに、記憶部Ｂ１５に保存されたデータＢを通信部Ｂ１を通じてマスターＭに送信させる。ステップＳ１３において、マスターＭはデータＡ，Ｂを受信する。
【００３７】
次にステップＳ１４において、マスターＭは、データＡとデータＢとを比較し、その比較結果に応じてこれらデータＡ，Ｂを調整するか否かを判定する。データＡ，Ｂを調整しないと判定した場合は、マスターＭは、ステップＳ１０において、データＡをそのままデータＡ′とし、データＢをそのままデータＢ′としてステップＳ１５に進む。一方、データＡ，Ｂを調整すると判定した場合は、マスターＭは、ステップＳ１５において、データＡをデータＡ′に調整し、データＢをそのままデータＢ′とする。なお、データＡに代えてデータＢをデータＢ′に調整してもよいし、データＡ，ＢをともにデータＡ′，Ｂ′に調整してもよい。
【００３８】
そしてステップＳ１６において、マスターＭは、データＡ’とデータＢ（またはデータＢ′）をそれぞれ、プロジェクタＡ，Ｂに送信する。
【００３９】
プロジェクタＡは、調整されたデータＡ’をステップＳ１７にて通信部Ａ１を通じて受信し、ステップＳ１８にてデータＡ’  を用いてシャッタＡ７の駆動を制御して画像投射を行う。またプロジェクタＢは、調整されたデータＢ’をステップＳ１９にて通信部Ｂ１を通じて受信し、ステップＳ２０にてデータＢ’  を用いてシャッタＢ７の駆動を制御して画像投射を行う。
【実施例３】
【００４０】
図５は、本発明の実施例３における画像投射システムを示す。本実施例におけるプロジェクタ２７’，２８’はそれぞれ、実施例１で説明した構成に加えて、光量計測部（第１の測定手段および第２の測定手段）Ａ３０，Ｂ３０を備えている。光量計測部Ａ３０，Ｂ３０はそれぞれ、シャッタＡ７，Ｂ７を通過した光源Ａ３，Ｂ３からの光量（輝度）を計測（測定）する。なお、光源Ａ３，Ｂ３からの光量は、例えば全白画像を投射する場合には、画像光ＬＡ，ＬＢの光量と見なすことができる。
【００４１】
図６は、本実施例においてプロジェクタ２７’，２８’によるマルチプロジェクションを行う際にプロジェクタＡ，Ｂ（制御部Ａ６，Ｂ６）が行う処理を示している。
【００４２】
まずステップＳ２１において、プロジェクタＡは、シャッタＡ７の絞り量を全開から全閉の間で段階的または連続的に変えながら光量計測部Ａ３０に光量計測を行わせる。そしてステップＳ２２では、プロジェクタＡは、シャッタＡ７の絞り量と計測された光量（測定結果）との関係を示すデータＡを生成して記憶部Ａ２に保存する。
【００４３】
またステップＳ２３において、プロジェクタＢは、シャッタＢ７の絞り量を全開から全閉の間で段階的または連続的に変えながら光量計測部Ｂ３０に光量計測を行わせる。そしてステップＳ２４では、プロジェクタＢは、シャッタＢ７の絞り量と計測された光量との関係を示すデータＢを生成して記憶部Ｂ２に保存する。
【００４４】
この後、プロジェクタＡ，Ｂは、実施例１（図２）で説明したステップＳ１〜Ｓ９の処理を行う。
【実施例４】
【００４５】
図７は、本発明の実施例４における画像投射システムを示す。本実施例では、実施例３で説明した構成を有するプロジェクタ２７’，２８’に対して、ＰＣにより構成される投射制御装置としてのマスター装置４０’が接続されている。これらマスター装置４０’とプロジェクタ２７’，２８’は、プロジェクタ２７’，２８’からの投射画像を繋いで大画面画像を表示するマルチプロジェクションを行う画像投射システムを構成する。マスター装置４０’（制御部４２）は、プロジェクタ２７’，２８’の記憶部Ａ２，Ｂ２に保存されたデータを受信し、それらのデータを比較して、プロジェクタ毎の適正なデータに調整し直す。
【００４６】
図８は、本実施例においてプロジェクタ２７’，２８’によるマルチプロジェクションを行う際にマスター装置４０’の制御部４１（以下、マスターＭ’という）とプロジェクタ２７’，２８’の制御部Ａ６，Ｂ６（以下、プロジェクタＡ’，Ｂ’という）が行う処理を示している。
【００４７】
まずステップＳ３１において、マスターＭ’は、プロジェクタＡ’，Ｂ’に対して光量計測指示を送信する。光量計測指示を受信したプロジェクタＡは、ステップＳ２１において、シャッタＡ７の絞り量を全開から全閉の間で段階的または連続的に変えながら光量計測部Ａ３０に光量計測を行わせる。そしてステップＳ２２では、プロジェクタＡ’は、シャッタＡ７の絞り量と計測された光量との関係を示すデータＡを記憶部Ａ２に保存する。
【００４８】
また光量計測指示を受信したプロジェクタＢは、ステップＳ２３において、シャッタＢ７の絞り量を全開から全閉の間で段階的または連続的に変えながら光量計測部Ｂ３０に光量計測を行わせる。そしてステップＳ２４では、プロジェクタＢ’は、シャッタＢ７の絞り量と計測された光量との関係を示すデータＢを記憶部Ｂ２に保存する。
【００４９】
この後、プロジェクタＡ，Ｂは、実施例２（図４）で説明したステップＳ１１〜Ｓ２０，Ｓ１０の処理を行う。
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００５０】
以上説明した各実施例は代表的な例にすぎず、本発明の実施に際しては、各実施例に対して種々の変形や変更が可能である。
【符号の説明】
【００５１】
１  通信部
３  光源
４  調整判定部
５  調整部
６  制御部
７  シャッタ
２７，２８，２７’，２８’  プロジェクタ
４０，４０’  マスター装置
【図１】
2020188396.tif 000003
【図２】
2020188396.tif 000004
【図３】
2020188396.tif 000005
【図４】
2020188396.tif 000006
【図５】
2020188396.tif 000007
【図６】
2020188396.tif 000008
【図７】
2020188396.tif 000009
【図８】
2020188396.tif 000010
【図９】
2020188396.tif 000011